(57)【要約】  小型化に寄与しながらも、給電端子が接続される接続部を簡易に形成することが可能な集配電リング及び電動機を提供する。  第１乃至第３のバスリング３１〜３３及び中性相バスリング３４と、第１乃至第３のバスリング３１〜３３のそれぞれに接続されると共に、第１乃至第３のバスリング３１〜３３及び中性相バスリング３４よりも外側に設けられる端子台２０に接続される給電端子４１〜４３とを備え、第１乃至第３のバスリング３１〜３３は、環状部３１１，３２１，３３１及び接続部３１２，３２２，３３２を有し、中性相バスリング３４は、接続部を有することなく環状に形成され、第１のバスリング３１と中性相バスリング３４とが回転軸線Ｏ方向に並んで配置されると共に、第２のバスリング３２と第３のバスリング３３とが回転軸線Ｏ方向に並んで配置され、第１のバスリング３１及び中性相バスリング３４は、第２のバスリング３２及び第３のバスリング３３よりも回転軸線Ｏ側に配置された集配電リング１１。
2015083229.tif 000002
【特許請求の範囲】
【請求項１】
三相交流電動機の回転子の回転軸線方向に固定子と並列して配置される集配電リングであって、
前記回転軸線を中心とする同心円状に配置され、前記固定子の各相の巻線が接続される第１乃至第３のバスリング及び中性相バスリングと、
前記第１乃至第３のバスリングのそれぞれに接続されると共に、前記回転軸線に直交する方向において前記第１乃至第３のバスリング及び前記中性相バスリングよりも外側に設けられる端子台に接続される給電端子とを備え、
前記第１乃至第３のバスリングは、前記回転軸線を中心とする環状に形成された環状部、及び前記環状部と前記給電端子とを接続する接続部を有し、
前記中性相バスリングは、前記給電端子との接続のための接続部を有することなく環状に形成され、
前記第１乃至第３のバスリング及び前記中性相バスリングは、前記第１のバスリングと前記中性相バスリングとが前記回転軸線方向に並んで配置されると共に、前記第２のバスリングと前記第３のバスリングとが前記回転軸線方向に並んで配置され、
前記第１のバスリング及び前記中性相バスリングは、前記第２のバスリング及び前記第３のバスリングよりも前記回転軸線側に配置された
集配電リング。
【請求項２】
前記第１乃至第３のバスリング及び前記中性相バスリングは、前記回転軸線方向において前記端子台よりも前記固定子側に配置され、
前記第１乃至第３のバスリングの前記接続部は、前記端子台に向かって前記回転軸線方向に延びる延出部を有し、
前記中性相バスリングは、前記回転軸線方向において前記第１のバスリングと前記固定子との間に配置された、
請求項１に記載の集配電リング。
【請求項３】
前記第１乃至第３のバスリング及び前記中性相バスリングは、
前記回転軸線方向から見た場合に、前記第１のバスリング及び前記中性相バスリングの少なくとも一部が重なると共に、前記第２のバスリング及び前記第３のバスリングの少なくとも一部が重なるように配置され、
前記回転軸線に直交する方向から見た場合に、前記第１のバスリング及び前記第２のバスリングの少なくとも一部が重なると共に、前記第３のバスリング及び前記中性相バスリングの少なくとも一部が重なるように配置された、
請求項１又は２に記載の集配電リング。
【請求項４】
三相交流電動機の回転子の回転軸線方向に固定子と並列して配置される集配電リングであって、
前記回転軸線を中心とする同心円状に配置され、前記固定子の各相の巻線が接続される第１乃至第３のバスリング及び中性相バスリングと、
前記第１乃至第３のバスリングのそれぞれに接続されると共に、前記回転軸線に直交する方向において前記第１乃至第３のバスリング及び前記中性相バスリングよりも内側に設けられる端子台に接続される給電端子とを備え、
前記第１乃至第３のバスリングは、前記回転軸線を中心とする環状に形成された環状部、及び前記環状部と前記給電端子とを接続する接続部を有し、
前記中性相バスリングは、前記給電端子との接続のための接続部を有することなく環状に形成され、
前記第１のバスリングと前記中性相バスリングとが前記回転軸線方向に並んで配置されると共に、前記第２のバスリングと前記第３のバスリングとが前記回転軸線方向に並んで配置され、
前記第１のバスリング及び前記中性相バスリングは、前記回転軸線に直交する方向において前記第２のバスリング及び前記第３のバスリングよりも外側に配置された
集配電リング。
【請求項５】
固定子と、
前記固定子に対して回転する回転子と、
前記回転子の回転軸線方向に前記固定子と並列して配置された集配電リングとを備え、
前記集配電リングは、
前記回転軸線を中心とする同心円状に配置され、前記固定子の各相の巻線が接続される第１乃至第３のバスリング及び中性相バスリングと、
前記第１乃至第３のバスリングのそれぞれに接続されると共に、前記回転軸線に直交する方向において前記第１乃至第３のバスリング及び前記中性相バスリングよりも外側に設けられる端子台に接続される給電端子とを備え、
前記第１乃至第３のバスリングは、前記回転軸線を中心とする環状に形成された環状部、及び前記環状部と前記給電端子とを接続する接続部を有し、
前記中性相バスリングは、前記給電端子との接続のための接続部を有することなく環状に形成され、
前記第１乃至第３のバスリング及び前記中性相バスリングは、前記第１のバスリングと前記中性相バスリングとが前記回転軸線方向に並んで配置されると共に、前記第２のバスリングと前記第３のバスリングとが前記回転軸線方向に並んで配置され、
前記第１のバスリング及び前記中性相バスリングは、前記第２のバスリング及び前記第３のバスリングよりも前記回転軸線側に配置された
電動機。
【請求項６】
固定子と、
前記固定子に対して回転する回転子と、
前記回転子の回転軸線方向に前記固定子と並列して配置された集配電リングとを備え、
前記集配電リングは、
前記回転軸線を中心とする同心円状に配置され、前記固定子の各相の巻線が接続される第１乃至第３のバスリング及び中性相バスリングと、
前記第１乃至第３のバスリングのそれぞれに接続されると共に、前記回転軸線に直交する方向において前記第１乃至第３のバスリング及び前記中性相バスリングよりも内側に設けられる端子台に接続される給電端子とを備え、
前記第１乃至第３のバスリングは、前記回転軸線を中心とする環状に形成された環状部、及び前記環状部と前記給電端子とを接続する接続部を有し、
前記中性相バスリングは、前記給電端子との接続のための接続部を有することなく環状に形成され、
前記第１のバスリングと前記中性相バスリングとが前記回転軸線方向に並んで配置されると共に、前記第２のバスリングと前記第３のバスリングとが前記回転軸線方向に並んで配置され、
前記第１のバスリング及び前記中性相バスリングは、前記回転軸線に直交する方向において前記第２のバスリング及び前記第３のバスリングよりも外側に配置された
電動機。
【発明の詳細な説明】
【技術分野】
【０００１】
本発明は、複数相の巻線に対して集配電を行う集配電リング、及びその集配電リングを備えた電動機に関する。
【背景技術】
【０００２】
従来、電動機の集配電リングとして、固定子の鉄心に巻き回された巻線にそれぞれ結線される複数の導電部材を備えたものが知られている（例えば、特許文献１参照。）。【０００３】
特許文献１に記載の集配電リングは、第１乃至第４の導電部材と、これらの導電部材を保持する環状の保持部材（結線基板）とを有して構成された結線部を備えている。第１乃至第３の導電部材はそれぞれ、線状体を屈曲してなり、給電端子が接続される接続部と、保持部材の周方向に沿って環状に形成された環状部とを有して形成され、第４の導電部材は、線状体を円弧状に屈曲して形成されている。【０００４】
第１の導電部材は、接続部及び環状部が保持部材の軸方向における一側に配置されている。第２及び第３の導電部材は、接続部が保持部材の軸方向における一側に、環状部がその他側（固定子側）に、それぞれ配置されている。第４の導電部材は、第１の導電部材と同様に、保持部材の軸方向における一側に配置されている。第１乃至第３の導電部材の各接続部は、軸方向に沿って固定子とは反対側に向かって延出するように形成されている。
【先行技術文献】
【特許文献】
【０００５】
【特許文献１】国際公開第２００９／０２５１４４号
【発明の概要】
【発明が解決しようとする課題】
【０００６】
特許文献１に記載の集配電リングにおける第１乃至第３の導電部材では、接続部及び環状部が、保持部材を軸方向に挟んで一側と他側にそれぞれ配置されているため、第１乃至第３の導電部材の成形が複雑化するといった問題や第１乃至第３の導電部材を組み付ける際の作業が煩雑になるといった問題があった。そこで、本願発明者は、接続部及び環状部を保持部材の軸方向における一側にまとめて配置すること、つまり、第２及び第３の導電部材における接続部及び環状部を、保持部材の軸方向における固定子側に、第１の導電部材及び中性相用導電部材における接続部及び環状部を、保持部材の軸方向における固定子とは反対側に、それぞれ配置すると共に、第４の導電部材として中性相用の導電電部材を用いることを考えた。【０００７】
しかしながら、このような第１乃至第３の導電部材の接続部及び環状部の配置、及び第４の導電部材として中性相用の導電部材を用いることを考慮すると、第１乃至第３の導電部材におけるそれぞれの接続部が集配電リングの径方向外側又は内側に配置される端子台に接続される場合に、その引き回しが困難になるといった問題が生じることとなる。【０００８】
そこで、本発明は、小型化に寄与しながらも、給電端子が接続される接続部を簡易に形成することが可能な集配電リング及び電動機を提供することを目的とする。
【課題を解決するための手段】
【０００９】
本発明は、上記課題を解決することを目的として、三相交流電動機の回転子の回転軸線方向に固定子と並列して配置される集配電リングであって、前記回転軸線を中心とする同心円状に配置され、前記固定子の各相の巻線が接続される第１乃至第３のバスリング及び中性相バスリングと、前記第１乃至第３のバスリングのそれぞれに接続されると共に、前記回転軸線に直交する方向において前記第１乃至第３のバスリング及び前記中性相バスリングよりも外側に設けられる端子台に接続される給電端子とを備え、前記第１乃至第３のバスリングは、前記回転軸線を中心とする環状に形成された環状部、及び前記環状部と前記給電端子とを接続する接続部を有し、前記中性相バスリングは、前記給電端子との接続のための接続部を有することなく環状に形成され、前記第１乃至第３のバスリング及び前記中性相バスリングは、前記第１のバスリングと前記中性相バスリングとが前記回転軸線方向に並んで配置されると共に、前記第２のバスリングと前記第３のバスリングとが前記回転軸線方向に並んで配置され、前記第１のバスリング及び前記中性相バスリングは、前記第２のバスリング及び前記第３のバスリングよりも前記回転軸線側に配置された集配電リングを提供する。【００１０】
また、本発明は、上記課題を解決することを目的として、三相交流電動機の回転子の回転軸線方向に固定子と並列して配置される集配電リングであって、前記回転軸線を中心とする同心円状に配置され、前記固定子の各相の巻線が接続される第１乃至第３のバスリング及び中性相バスリングと、前記第１乃至第３のバスリングのそれぞれに接続されると共に、前記回転軸線に直交する方向において前記第１乃至第３のバスリング及び前記中性相バスリングよりも内側に設けられる端子台に接続される給電端子とを備え、前記第１乃至第３のバスリングは、前記回転軸線を中心とする環状に形成された環状部、及び前記環状部と前記給電端子とを接続する接続部を有し、前記中性相バスリングは、前記給電端子との接続のための接続部を有することなく環状に形成され、前記第１のバスリングと前記中性相バスリングとが前記回転軸線方向に並んで配置されると共に、前記第２のバスリングと前記第３のバスリングとが前記回転軸線方向に並んで配置され、前記第１のバスリング及び前記中性相バスリングは、前記回転軸線に直交する方向において前記第２のバスリング及び前記第３のバスリングよりも外側に配置された集配電リングを提供する。【００１１】
また、本発明は、上記課題を解決することを目的として、固定子と、前記固定子に対して回転する回転子と、前記回転子の回転軸線方向に前記固定子と並列して配置された集配電リングとを備え、前記集配電リングは、前記回転軸線を中心とする同心円状に配置され、前記固定子の各相の巻線が接続される第１乃至第３のバスリング及び中性相バスリングと、前記第１乃至第３のバスリングのそれぞれに接続されると共に、前記回転軸線に直交する方向において前記第１乃至第３のバスリング及び前記中性相バスリングよりも外側に設けられる端子台に接続される給電端子とを備え、前記第１乃至第３のバスリングは、前記回転軸線を中心とする環状に形成された環状部、及び前記環状部と前記給電端子とを接続する接続部を有し、前記中性相バスリングは、前記給電端子との接続のための接続部を有することなく環状に形成され、前記第１乃至第３のバスリング及び前記中性相バスリングは、前記第１のバスリングと前記中性相バスリングとが前記回転軸線方向に並んで配置されると共に、前記第２のバスリングと前記第３のバスリングとが前記回転軸線方向に並んで配置され、前記第１のバスリング及び前記中性相バスリングは、前記第２のバスリング及び前記第３のバスリングよりも前記回転軸線側に配置された電動機を提供する。【００１２】
また、本発明は、上記課題を解決することを目的として、固定子と、前記固定子に対して回転する回転子と、前記回転子の回転軸線方向に前記固定子と並列して配置された集配電リングとを備え、前記集配電リングは、前記回転軸線を中心とする同心円状に配置され、前記固定子の各相の巻線が接続される第１乃至第３のバスリング及び中性相バスリングと、前記第１乃至第３のバスリングのそれぞれに接続されると共に、前記回転軸線に直交する方向において前記第１乃至第３のバスリング及び前記中性相バスリングよりも内側に設けられる端子台に接続される給電端子とを備え、前記第１乃至第３のバスリングは、前記回転軸線を中心とする環状に形成された環状部、及び前記環状部と前記給電端子とを接続する接続部を有し、前記中性相バスリングは、前記給電端子との接続のための接続部を有することなく環状に形成され、前記第１のバスリングと前記中性相バスリングとが前記回転軸線方向に並んで配置されると共に、前記第２のバスリングと前記第３のバスリングとが前記回転軸線方向に並んで配置され、前記第１のバスリング及び前記中性相バスリングは、前記回転軸線に直交する方向において前記第２のバスリング及び前記第３のバスリングよりも外側に配置された電動機を提供する。
【発明の効果】
【００１３】
本発明に係る集配電リング及び電動機によれば、小型化に寄与しながらも、給電端子が接続される接続部を簡易に形成することが可能である。
【図面の簡単な説明】
【００１４】
【図１】本発明の第１の実施の形態に係る電動機の一構成例を示す斜視図である。
【図２】本発明の第１の実施の形態に係る集配電リングの一構成例を示す斜視図である。
【図３】図２のＡ−Ａ線断面図である。
【図４Ａ】保持部材の一構成例を示す斜視図である。
【図４Ｂ】図４ＡのＢ矢視方向から見た側面図である。
【図５】第１の接続端子及びその周辺部を示す斜視図である。
【図６】中性接続端子及びその周辺部を示す斜視図である。
【図７】第２の接続端子及びその周辺部を示す斜視図である。
【図８】第３の接続端子及びその周辺部を示す斜視図である。
【図９】第１〜第３のバスリングの接続部の環状部に対する位置関係を示す模式図である。
【図１０】第１の実施の形態の比較例における第１〜第３のバスリングの接続部の環状部に対する位置関係を示す模式図である。
【図１１】本発明の第２の実施の形態に係る電動機の一構成例を示す斜視図である。
【図１２】本発明の第２の実施の形態に係る集配電リングの一構成例を示す斜視図である。
【図１３】図１２のＣ−Ｃ線断面図である。
【図１４】第２の実施の形態における第１〜第３のバスリングの接続部の環状部に対する位置関係を示す模式図である。
【発明を実施するための形態】
【００１５】
［第１の実施の形態］
本発明の第１の実施の形態に係る三相交流電動機は、例えば車両の走行用の駆動源として用いられ、車体に支持されている。
【００１６】
（電動機１の構成）
図１は、本発明の第１の実施の形態に係る電動機１の一構成例を示す斜視図である。なお、図１において、回転子２２及び出力軸２３の回転軸線Ｏを一点鎖線で示す。
【００１７】
この電動機１は、円筒状の固定子２１と、固定子２１の径方向内側に配置されて、固定子２１に対して回転する回転子２２と、回転子２２の中心部を貫通して回転子２２と一体に回転可能に支持された出力軸２３と、回転子２２の回転軸線Ｏ方向に固定子２１と並列して配置された集配電リング１１とを備えている。固定子２１、回転子２２、及び出力軸２３は、回転軸線Ｏを中心とする同心円状に、内側から外側に向かって出力軸２３、回転子２２、固定子２１の順に配置されている。
【００１８】
集配電リング１１は、回転軸線Ｏを中心とする同心円状に配置され、固定子２１の各相の巻線２１０（Ｕ相の巻線２１１、Ｖ相の巻線２１２、及びＷ相の巻線２１３）が接続される第１〜第３のバスリング３１〜３３及び中性相バスリング３４と、第１〜第３のバスリング３１〜３３のそれぞれに接続されると共に、回転軸線Ｏに直交する方向において第１〜第３のバスリング３１〜３３及び中性相バスリング３４よりも外側に設けられた端子台２０にボルト２０ａで接続される第１〜第３の給電端子４１〜４３と、巻線２１０が接続される複数の第１〜第３の接続端子５１〜５３及び中性接続端子５４と、第１〜第３のバスリング３１〜３３及び中性相バスリング３４を保持する複数（本実施の形態では６つ）の保持部材３０とを備えている。
【００１９】
端子台２０には、一端部がインバータに接続されたワイヤハーネス（図略）が接続され、端子台２０を介してワイヤハーネスの他端部と第１〜第３の給電端子４１〜４３とが電気的に接続される。インバータから出力される電流は、ワイヤハーネス及び第１〜第３の給電端子４１〜４３を介して電動機１に供給される。端子台２０は、車体（図略）の固定部に固定されている。本実施の形態では、第１〜第３のバスリング３１〜３３及び中性相バスリング３４は、回転軸線Ｏ方向において端子台２０よりも固定子２１側に配置されている。
【００２０】
複数（本実施の形態では４個）の第１の接続端子５１は第１のバスリング３１に、複数（本実施の形態では４個）の第２の接続端子５２は第２のバスリング３２に、複数（本実施の形態では４個）の第３の接続端子５３は第３のバスリング５３に、複数（本実施の形態では１２個）の中性接続端子５４は中性相バスリング３４に、それぞれ設けられている。
【００２１】
また、複数の第１の接続端子５１にはＵ相の巻線２１１の一端部が、複数の第２の接続端子５２にはＶ相の巻線２１２の一端部が、複数の第３の接続端子５３にはＷ相の巻線２１３の一端部が、例えばヒュージング等によりそれぞれ接続される。
【００２２】
一方、複数の中性接続端子５４には、Ｕ相の巻線２１１、Ｖ相の巻線２１２、及びＷ相の巻線２１３の各他端部がそれぞれ接続される。これにより、Ｕ相の巻線２１１、Ｖ相の巻線２１２、及びＷ相の巻線２１３を流れる電流の回路は、中性相バスリング３４によって閉じられる（閉回路）。すなわち、中性相バスリング３４は、Ｕ相の巻線２１１、Ｖ相の巻線２１２、及びＷ相の巻線２１３における閉回路を構成するためのバスリングである。
【００２３】
（集配電リング１１の構成）
図２は、本発明の第１の実施の形態に係る集配電リング１１の一構成例を示す斜視図である。図３は、図２のＡ−Ａ線断面図である。
【００２４】
第１〜第３のバスリング３１〜３３は、それぞれ中心導体３１０ａ，３２０ａ，３３０ａと、中心導体３１０ａ，３２０ａ，３３０ａを被覆する絶縁体３１０ｂ，３２０ｂ，３３０ｂとを有する絶縁電線を湾曲して形成され、回転軸線Ｏを中心とする環状に形成された環状部３１１，３２１，３３１、及び環状部３１１，３２１，３３１と第１〜第３の給電端子４１〜４３との間を接続する接続部３１２，３２２，３３２を有している。
【００２５】
中性相バスリング３４は、中心導体３４０ａ及び絶縁体３４０ｂを有する絶縁電線を湾曲して形成され、給電端子４１〜４３との接続のための接続部を有することなく回転軸線Ｏを中心とする環状に形成されている。
【００２６】
中性相バスリング３４は、前述のように、Ｕ相の巻線２１１、Ｖ相の巻線２１２、及びＷ相の巻線２１３における閉回路を構成するためのバスリングであるため、第１〜第３のバスリング３１〜３３の構成と異なり、端部に給電端子が接続されない。したがって、中性相バスリング３４は、環状部３４１のみで構成されている。
【００２７】
ここで、「環状」とは、固定子２１の周方向に沿って略一周するように延在している形状をいう。例えば、バスリングを構成する部分に径方向に突出する部分を含んでいる場合、すなわち、バスリングが多角形状に形成されている場合や、複数の円弧状の導電性部材を組み合わせて１つのバスリングが構成されている場合等でも、バスリング全体として固定子２１の周方向に沿って略一周するように延在していれば、ここでいう「環状」に含まれる。
【００２８】
第１〜第３のバスリング３１〜３３及び中性相バスリング３４は、第１のバスリング３１と中性相バスリング３４とが回転軸線Ｏ方向に並んで配置されると共に、第２のバスリング３２と第３のバスリング３３とが回転軸線Ｏ方向に並んで配置されている。さらに、第１のバスリング３１及び中性相バスリング３４は、第２のバスリング３２及び第３のバスリング３３よりも回転軸線Ｏ側に配置されている。
【００２９】
本実施の形態では、中性相バスリング３４が、回転軸線Ｏ方向において第１のバスリング３１と固定子２１（図１参照）との間に配置され、第３のバスリング３３が、回転軸線Ｏ方向において第２のバスリング３２と固定子２１との間に配置されている。すなわち、第３のバスリング３３及び中性相バスリング３４は、回転軸線Ｏ方向において第１のバスリング３１及び第２のバスリング３２よりも固定子２１側に配置されている。
【００３０】
また、第１〜第３のバスリング３１〜３３及び中性相バスリング３４は、回転軸線Ｏ方向から見た場合に、第１のバスリング３１及び中性相バスリング３４の少なくとも一部が重なると共に、第２のバスリング３２及び第３のバスリング３３の少なくとも一部が重なるように配置され、回転軸線Ｏに直交する方向から見た場合に、第１のバスリング３１及び第２のバスリング３２の少なくとも一部が重なると共に、第３のバスリング３２及び中性相バスリング３４の少なくとも一部が重なるように配置されている。
【００３１】
本実施の形態では、回転軸線Ｏに沿って端子台２０（図１参照）側から見た場合に、中性相バスリング３４が第１のバスリング３１に、第３のバスリング３３が第２のバスリング３２に、それぞれ重なるように配置され、回転軸線Ｏに直交する方向において出力軸２３（図１参照）側から見た場合に、第２のバスリング３２が第１のバスリング３１に、第３のバスリング３３が中性相バスリング３４に、それぞれ重なるように配置されている。
【００３２】
回転軸線Ｏに直交する方向において、第１のバスリング３１と第２のバスリング３２との間の距離、及び第３のバスリング３３と中性相バスリング３４との間の距離は、それぞれ第１〜第３のバスリング３１〜３３及び中性相バスリング３４のそれぞれを構成する絶縁電線の直径よりも短く設定されている。
【００３３】
また、第１のバスリング３１と中性相バスリング３４との間の距離、及び第２のバスリング３２と第３のバスリング３３との間の距離は、それぞれ例えば車両の振動等により第１〜第３のバスリング３１〜３３及び中性相バスリング３４がお互いに干渉し合わないように離れて配置されている。
【００３４】
第１のバスリング３１の環状部３１１には、複数の第１の接続端子５１が、第２のバスリング３２の環状部３２１には、複数の第２の接続端子５２が、第３のバスリング３３の環状部３３１には、複数の第３の接続端子５３が、中性相バスリング３４の環状部３４１には、複数の中性接続端子５４が、周方向にそれぞれ等間隔に並んで接続されている。
【００３５】
本実施の形態では、第１〜第３の接続端子５１〜５３及び中性接続端子５４は、回転軸線Ｏ方向に沿って端子台２０（図１参照）側から見た場合、第１〜第３のバスリング３１〜３３及び中性相バスリング３４の周方向に沿って時計回りに第１の接続端子５１、中性接続端子５４、第２の接続端子５２、中性接続端子５４、第３の接続端子５３、中性接続端子５４、第１の接続端子５１…の順に配置されている。
【００３６】
第１のバスリング３１の接続部３１２及び第２のバスリング３２の接続部３２２は、基端部３１２ａ，３２２ａと、基端部３１２ａ，３２２ａから端子台２０に向かって回転軸線Ｏ方向に延びる延出部３１２ｂ，３２２ｂとを一体に有している。基端部３１２ａ，３２２ａは、環状部３１１，３２１の各両端部と延出部３１２ｂ，３２２ｂとの間において、それぞれ円弧状に屈曲されている。
【００３７】
第３のバスリング３３の接続部３３２は、第１及び第２のバスリング３１，３２と同様に、基端部３３２ａ及び延出部３３２ｂを一体に有しているが、基端部３３２ａの形状が第１のバスリング３１の基端部３１２ａ及び第２のバスリング３２の基端部３２２ａの形状と異なる。この第３のバスリング３３の基端部３３２ａの形状については、後述する。
【００３８】
第１〜第３の給電端子４１〜４３は、端子台２０（図１参照）に接続される平板状の接続片４１１，４２１，４３１と、第１のバスリング３１の延出部３１２ｂ、第２のバスリング３２の延出部３２２ｂ、及び第３のバスリング３３の延出部３３２ｂのそれぞれの先端部において絶縁体３１０ｂ，３２０ｂ，３３０ｂから露出した中心導体３１０ａ，３２０ａ，３３０ａを加締める加締め部４１２，４２２，４３２とを一体に有している。
【００３９】
接続片４１１，４２１，４３１は、加締め部４１２，４２２，４３２の端部の一部分を、第１〜第３のバスリング３１〜３３及び中性相バスリング３４の径方向外側に向かって張り出すように屈曲して形成されている。接続片４１１，４２１，４３１には、第１〜第３の給電端子４１〜４３と端子台２０とを接続するためのボルト２０ａ（図１参照）を挿入するための貫通孔４１１ａ，４２１ａ，４３１ａが、回転軸線Ｏに平行な方向に沿って貫通している。
【００４０】
（保持部材３０の構成）
図４Ａは、保持部材３０の一構成例を示す斜視図である。図４Ｂは、図４ＡのＢ矢視方向から見た側面図である。
【００４１】
保持部材３０は、例えば樹脂等の絶縁部材を用いて形成され、第１〜第３のバスリング３１〜３３及び中性相バスリング３４の径方向内側に位置する内側壁部３０５と、径方向外側に位置する外側壁部３０６と、内側壁部３０５と外側壁部３０６との間に介在する中央壁部３０７とを一体に有している。内側壁部３０５、外側壁部３０６、及び中央壁部３０７は、第１〜第３のバスリング３１〜３３及び中性相バスリング３４の形状に沿って緩やかな弧状に形成されている。
【００４２】
内側壁部３０５と中央壁部３０７との間には、第１のバスリング３１を保持するための第１の保持溝３０１、及び中性相バスリング３４を保持するための第４の保持溝３０４が、外側壁部３０６と中央壁部３０７との間には、第２のバスリング３２を保持するための第２の保持溝３０２、及び第３のバスリング３３を保持するための第３の保持溝３０３が、それぞれ形成されている。
【００４３】
保持部材３０は、内側壁部３０５と中央壁部３０７との間に、第１の保持溝３０１と第４の保持溝３０４との間を仕切るための仕切り部３０８ａを有すると共に、外側壁部３０６と中央壁部３０７との間に、第２の保持溝３０２と第３の保持溝３０３との間を仕切るための仕切り部３０８ｂを有している。
【００４４】
第１の保持溝３０１の内面には、第１のバスリング３１が第１の保持溝３０１から抜け出すのを防止するための一対の凸部３０１ａ，３０１ｂが形成されている。同様に、第２の保持溝３０２の内面には一対の凸部３０２ａ，３０２ｂが、第３の保持溝３０３の内面には一対の凸部３０３ａ，３０３ｂが、第４の保持溝３０４の内面には一対の凸部３０４ａ，３０４ｂが、それぞれ形成されている。
【００４５】
図４Ｂに示すように、第１の保持溝３０１における一対の凸部３０１ａ，３０１ｂのうち一方の凸部３０１ａ、及び第４の保持溝３０４における一対の凸部３０４ａ，３０４ｂのうち一方の凸部３０４ａは、内側壁部３０５側に、第１の保持溝３０１における他方の凸部３０１ｂ、及び第４の保持溝３０４における他方の凸部３０４ｂは、中央壁部３０７側に、それぞれ形成されている。
【００４６】
第２の保持溝３０２における一対の凸部３０２ａ，３０２ｂのうち一方の凸部３０２ａ、及び第３の保持溝３０３における一方の凸部３０３ａは、外側壁部３０６側に、第２の保持溝３０２における他方の凸部３０２ｂ、及び第３の保持溝３０３における他方の凸部３０３ｂは、中央壁部３０７側に、それぞれ形成されている。
【００４７】
（第１〜第３の接続端子５１〜５３及び中性接続端子５４の構成）
図５は、第１の接続端子５１及びその周辺部を示す斜視図である。図６は、中性接続端子５４及びその周辺部を示す斜視図である。図７は、第２の接続端子５２及びその周辺部を示す斜視図である。図８は、第３の接続端子５３及びその周辺部を示す斜視図である。なお、図６及び図８において、第１のバスリング３１及び第２のバスリング３２を二点鎖線で示している。
【００４８】
第１の接続端子５１は、図５に示すように、第１のバスリング３１の中心導体３１０ａが露出した部分に加締め付けられた加締め部５１１と、加締め部５１１における第１のバスリング３１の周方向の一端部側に設けられた基部５１２と、基部５１２の一端部から第１〜第３のバスリング３１〜３３及び中性相バスリング３４の径方向に延在する延在部５１３と、延在部５１３における基部５１２とは反対側の端部に設けられて、Ｕ相の巻線２１１（図１参照）の一端部が接続される巻線接続部５１４とを一体に有している。
【００４９】
加締め部５１１は、第１のバスリング３１の径方向内側から第１のバスリング３１を回転軸線Ｏ方向に挟むようにして加締め付けられている。基部５１２は、回転軸線Ｏ方向に長辺を有し、第１〜第３のバスリング３１〜３３及び中性相バスリング３４の周方向に短辺を有する長方形状に形成されている。
【００５０】
延在部５１３は、基部５１２の長辺方向における固定子２１側の端部から第２のバスリング３２の径方向外側に向かって延在している。すなわち、第１のバスリング３１に接続された第１の接続端子５１は、延在部５１３が、隣り合うバスリング（第２のバスリング３２）を径方向に越えて延在している。
【００５１】
また、延在部５１３は、その延在方向の両端部（基部５１２側の端部及び巻線接続部５１４側の端部）が、回転軸線Ｏ方向における固定子２１とは反対側（端子台２０側）に向かって湾曲している。したがって、延在部５１３は、回転軸線Ｏ方向において、加締め部５１１及び巻線接続部５１４よりも固定子２１側に位置している。
【００５２】
本実施の形態では、延在部５１３は、第１〜第３のバスリング３１〜３３及び中性相バスリング３４の外周面と接触することなく、第１のバスリング３１と中性相バスリング３４との間、及び第２のバスリング３２と第３のバスリング３３との間に介在している。本実施の形態では、第１のバスリング３１と延在部５１３との間、第２のバスリング３２と延在部５１３との間、第３のバスリング３３と延在部５１３との間、及び中性相バスリング３４と延在部５１３との間は、それぞれ１〜５ｍｍほど離間している。なお、延在部５１３は、少なくとも第２のバスリング３２と第３のバスリング３３との間に介在していればよい。
【００５３】
巻線接続部５１４は、第１〜第３のバスリング３１〜３３及び中性相バスリング３４の径方向に延びる一対の直線部５１４ａ、及び円弧状に形成されて一対の直線部５１４ａを連結する円弧部５１４ｂを一体に有している。本実施の形態では、円弧部５１４ｂは、第１〜第３のバスリング３１〜３３及び中性相バスリング３４の径方向において、加締め部５１１側に位置している。したがって、巻線接続部５１４は、第２のバスリング３２及び第３のバスリング３３の径方向外側に向けて開口するように形成されている。
【００５４】
中性接続端子５４は、図６に示すように、中性相バスリング３４の中心導体３４０ａが露出した部分に加締め付けられた加締め部５４１と、加締め部５４１における中性相バスリング３４の周方向の一端部側に設けられた基部５４２と、基部５４２の一端部から第１〜第３のバスリング３１〜３３及び中性相バスリング３４の径方向に延在する延在部５４３と、延在部５４３における基部５４２とは反対側の端部に設けられて、Ｕ相の巻線２１１、Ｖ相の巻線２１２、及びＷ相の巻線２１３（図１参照）の各他端部が接続される巻線接続部５４４とを一体に有している。
【００５５】
加締め部５４１は、中性相バスリング３４の径方向内側から中性相バスリング３４を回転軸線Ｏ方向に挟むようにして加締め付けられている。基部５４２は、回転軸線Ｏ方向に長辺を有し、第１〜第３のバスリング３１〜３３及び中性相バスリング３４の周方向に短辺を有する長方形状に形成されている。
【００５６】
延在部５４３は、基部５４２の長辺方向における固定子２１とは反対側の端部から第３のバスリング３３の径方向外側に向かって延在している。すなわち、中性相バスリング３４に接続された中性接続端子５４は、延在部５４３が、隣り合うバスリング（第３のバスリング３３）を径方向に越えて延在している。
【００５７】
また、延在部５４３は、その延在方向の両端部（基部５４２側の端部及び巻線接続部５４４側の端部）が、回転軸線Ｏ方向における固定子２１側に向かって湾曲している。したがって、加締め部５４１及び巻線接続部５４４は、回転軸線Ｏ方向において延在部５４３よりも固定子２１側に位置している。
【００５８】
本実施の形態では、延在部５４３は、第１の接続端子５１の延在部５１３と同様に、第１〜第３のバスリング３１〜３３及び中性相バスリング３４の外周面と接触することなく、第１のバスリング３１と中性相バスリング３４との間、及び第２のバスリング３２と第３のバスリング３３との間に介在している。本実施の形態では、第１のバスリング３１と延在部５４３との間、第２のバスリング３２と延在部５４３との間、第３のバスリング３３と延在部５４３との間、及び中性相バスリング３４と延在部５４３との間は、それぞれ１〜５ｍｍほど離間している。なお、中性接続端子５４についても第１の接続端子５１と同様に、延在部５４３は、少なくとも第２のバスリング３２と第３のバスリング３３との間に介在していればよい。
【００５９】
巻線接続部５４４は、第１の接続端子５１の巻線接続部５１４と同様に、第２のバスリング３２及び第３のバスリング３３の径方向外側に向けて開口するように、一対の直線部５４４ａ及び円弧部５４４ｂを一体に有している。
【００６０】
本実施の形態では、第１の接続端子５１と中性接続端子５４とが同一の形状であり、その配置の向きが異なっている。つまり、第１の接続端子５１と中性接続端子５４とは、加締め部５１１，５４１、基部５１２，５４２、延在部５１３，５４３、及び巻線接続部５１４，５４４の全てにおいて同一形状を有して構成されている。
【００６１】
第１の接続端子５１は、回転軸線Ｏ方向において、加締め部５１１及び巻線接続部５１４に対して延在部５１３が固定子２１側に位置するように第１のバスリング３１に加締め付けられている。一方、中性接続端子５４は、回転軸線Ｏ方向において、加締め部５１１及び巻線接続部５１４に対して延在部５１３が固定子２１とは反対側に位置するように中性相バスリング３４に加締め付けられている。
【００６２】
第１の接続端子５１の延在部５１３及び中性接続端子５４の延在部５４３は、第１〜第３のバスリング３１〜３３及び中性相バスリング５４の径方向から見た断面が回転軸線Ｏ方向に短辺を有する長方形状である。
【００６３】
第２の接続端子５２は、図７に示すように、第２のバスリング３２の中心導体３２０ａが露出した部分に加締め付けられた加締め部５２１と、加締め部５２１における第２のバスリング３２の周方向の一端部側に設けられた基部５２２と、基部５２２において回転軸線Ｏ方向の固定子２１側の一端部に設けられて、Ｖ相の巻線２１２（図１参照）の一端部が接続される巻線接続部５２３とを一体に有している。
【００６４】
加締め部５２１は、第２のバスリング３２の径方向外側から第２のバスリング３２を回転軸線Ｏ方向に挟むようにして加締め付けられている。基部５２２は、回転軸線Ｏ方向に長辺を有し、第１〜第３のバスリング３１〜３３及び中性相バスリング３４の周方向に短辺を有している。
【００６５】
巻線接続部５２３は、第１の接続端子５１の巻線接続部５１４及び中性接続端子５４の巻線接続部５４４と同様に、第２のバスリング３２及び第３のバスリング３３の径方向外側に向けて開口するように、一対の直線部５２３ａ及び円弧部５２３ｂを一体に有している。
【００６６】
第３の接続端子５３は、図８に示すように、第３のバスリング３３の中心導体３３０ａが露出した部分に加締め付けられた加締め部５３１と、加締め部５３１における第３のバスリング３３の周方向の一端部側に設けられた基部５３２と、基部５３２において回転軸線Ｏ方向の固定子２１とは反対側の一端部に設けられて、Ｗ相の巻線２１３（図１参照）の一端部が接続される巻線接続部５３３とを一体に有している。
【００６７】
加締め部５３１は、第３のバスリング３３の径方向外側から第３のバスリング３３を回転軸線Ｏ方向に挟むようにして加締め付けられている。基部５３２は、回転軸線Ｏ方向に長辺を有し、第１〜第３のバスリング３１〜３３及び中性相バスリング３４の周方向に短辺を有している。
【００６８】
巻線接続部５３３は、第２の接続端子５２の巻線接続部５２４と同様に、第２のバスリング３２及び第３のバスリング３３の径方向外側に向けて開口するように、一対の直線部５３３ａ及び円弧部５３３ｂを一体に有している。
【００６９】
本実施の形態では、第２の接続端子５２及び第３の接続端子５３は、第１の接続端子５１及び中性接続端子５４の構成と異なり、延在部を有していない。
【００７０】
また、本実施の形態では、第２の接続端子５２と第３の接続端子５３とが同一の形状であり、その配置の向きが異なっている。つまり、第２の接続端子５２と第３の接続端子５３とは、加締め部５２１，５３１、基部５２２，５３２、及び巻線接続部５２４，５３４の全てにおいて同一形状を有して構成されている。
【００７１】
第２の接続端子５２は、回転軸線Ｏ方向において、加締め部５２１に対して巻線接続部５２４が固定子２１側に位置するように第２のバスリング３２に加締め付けられている。一方、第３の接続端子５３は、回転軸線Ｏ方向において、加締め部５３１に対して巻線接続部５３３が固定子２１とは反対側に位置するように第３のバスリング３３に加締め付けられている。
【００７２】
（接続部３１２，３２２，３３２の構成）
図９は、第１〜第３のバスリング３１〜３３の接続部３１２，３２２，３３２の環状部３１１，３２１，３３１に対する位置関係を示す模式図である。なお、図９において、回転軸線Ｏを一点鎖線で示す。
【００７３】
接続部３１２，３２２の基端部３１２ａ，３２２ａは、環状部３１１，３２１の両端部からそれぞれ回転軸線Ｏに平行な方向において固定子２１とは反対側に向かって円弧を描きながら延びるように形成されている。そして、延出部３１２ｂ，３２２ｂが、基端部３１２ａ，３２２ａの端部から回転軸線Ｏに平行な方向において固定子２１とは反対側に向かってさらに延びて形成されている。
【００７４】
すなわち、第１のバスリング３１及び第２のバスリング３２の接続部３１２，３２２は、基端部３１２ａ，３２２ａ及び延出部３１２ｂ，３２２ｂが、回転軸線Ｏ方向に平行な方向に延出している。
【００７５】
一方、第３のバスリング３３は、接続部３３２の基端部３３２ａが、環状部３３１の両端部から第３のバスリング３３の径方向外側に向かうと共に、回転軸線Ｏに平行な方向において固定子２１とは反対側に向かって延びて形成されている。そして、延出部３３２ｂが、基端部３３２ａの端部から回転軸線Ｏに平行な方向において固定子２１とは反対側に向かってさらに延びて形成されている。したがって、接続部３３２は、回転軸線Ｏ方向から見た場合に、環状部３３１よりも径方向外側に位置している。
【００７６】
（比較例）
図１０は、第１の実施の形態の比較例における第１〜第３のバスリング６１〜６３の接続部６１２，６２２，６３２の環状部６１１，６２１，６３１に対する位置関係を示す模式図である。なお、図１０において、回転軸線Ｏを一点鎖線で示す。
【００７７】
本比較例に係る集配電リング１０は、第１〜第３のバスリング６１〜６３及び中性相バスリング６４の互いの位置関係、及び第１〜第３のバスリング６１〜６３の接続部６１２，６２２，６３２の形状が、第１の実施の形態に係る集配電リング１１における第１〜第３のバスリング３１〜３３及び中性相バスリング３４の互いの位置関係、及び第１〜第３のバスリング３１〜３３の接続部３１２，３２２，３３２の形状とは異なる。
【００７８】
図１０において、第１の実施の形態に係る集配電リング１１について説明したものと実質的に同一の機能を有する部位については共通する符号を付し、その重複した説明を省略する。
【００７９】
本比較例に係る集配電リング１０は、第１〜第３のバスリング６１〜６３及び中性相バスリング６４の互いの位置関係が、第１の実施の形態に係る第１〜第３のバスリング３１〜３３及び中性相バスリング３４における互いの位置関係と異なる。
【００８０】
具体的には、回転軸線Ｏ方向に並んで配置された第１のバスリング６１及び第２のバスリング６２が、回転軸線Ｏ方向に並んで配置された第３のバスリング６３及び中性相バスリング６４よりも回転軸線Ｏ側に配置されている。そして、第２のバスリング６２が、回転軸線Ｏ方向において第１
のバスリング６１と固定子２１との間に配置され、第３のバスリング６３が、回転軸線Ｏ方向において中性相バスリング６４と固定子２１との間に配置されている。
【００８１】
第１のバスリング６１の接続部６１２は、基端部６１２ａが、環状部６１１の両端部から回転軸線Ｏ方向における固定子２１とは反対側に向かって延び、延出部６１２ｂが、基端部６１２ａの端部から回転軸線Ｏ方向における固定子２１とは反対側に向かってさらに延びている。
【００８２】
第２のバスリング６２の接続部６２２は、基端部６２２ａ及び延出部６２２ｂの他に、延在部６２２ｃを有している。より具体的には、基端部６２２ａは、環状部６２１の両端部から第２のバスリング６２の径方向外側に向かうと共に、回転軸線Ｏ方向における固定子２１側に向かって延び、延在部６２２ｃは、基端部６２２ａの端部から第３のバスリング６３の径方向外側に延在している。さらに、延出部６２２ｂが、延在部６２２ｃの端部から回転軸線Ｏ方向に平行な方向における固定子２１とは反対側に向かって延出している。
【００８３】
第３のバスリング６３の接続部６３２は、基端部６３２ａが、環状部６３１の両端部からそれぞれ第３のバスリング６３の径方向外側に向かうと共に、回転軸線Ｏ方向の固定子２１とは反対側に向かって延びるように形成されている。そして、延出部６３２ｂが、基端部６３２ａの端部から回転軸線Ｏ方向の固定子２１とは反対側に向かってさらに延びて形成されている。
【００８４】
以上より、第２のバスリング６２は、回転軸線Ｏ方向において第１のバスリング６１よりも固定子２１側に配置されると共に、第３のバスリング６３よりも回転軸線Ｏ側に配置されているため、接続部６２２において第１〜第３のバスリング６１〜６３及び中性相バスリング６４の径方向に第３のバスリング６３を超える部分、すなわち延在部６２２ｃが必要となる。したがって、第２のバスリング６２において、第２の給電端子４２と環状部６２１との間の接続経路（取り回し）が煩雑になっている。
【００８５】
（第１の実施の形態の作用及び効果）
以上説明した第１の実施の形態によれば、以下のような作用及び効果が得られる。
【００８６】
（１）第１〜第３のバスリング３１〜３３及び中性相バスリング３４は、第１のバスリング３１と中性相バスリング３４とが回転軸線Ｏ方向に並んで配置されると共に、第２のバスリング３２と第３のバスリング３３とが回転軸線Ｏ方向に並んで配置され、第１のバスリング３１及び中性相バスリング３４は、第２のバスリング３２及び第３のバスリング３３よりも回転軸線Ｏ側に配置されているため、比較例に係る集配電リング１０と比べて、集配電リング１１における回転軸線Ｏ方向及び回転軸線Ｏに直交する方向（径方向）の寸法を小さくすることを可能としながらも、回転軸線Ｏに直交する方向において第１〜第３のバスリング３１〜３３及び中性相バスリング３４よりも外側に設けられた端子台２０に接続される第１〜第３の給電端子４１〜４３までの配線の取り回し、すなわち接続部３１２，３２２，３３２の形状を簡易にすることができる。
【００８７】
（２）第１〜第３のバスリング３１〜３３及び中性相バスリング３４は、回転軸線Ｏ方向において端子台２０よりも固定子２１側に配置され、第１〜第３のバスリング３１〜３３の接続部３１２，３２２，３３２は、端子台２０に向かって回転軸線Ｏ方向に延びる延出部３１２ｂ，３２２ｂ，３３２ｂを有しているため、延出部３１２ｂ，３２２ｂ，３３２ｂの先端に接続された第１〜第３の給電端子４１〜４３と端子台２０との接続距離を短くすることができる。
【００８８】
（３）回転軸線Ｏに直交する方向において、第１のバスリング３１と第２のバスリング３２との間の距離、及び第３のバスリング３３と中性相バスリング３４との間の距離が、それぞれ第１〜第３のバスリング３１〜３３及び中性相バスリング３４のそれぞれを構成する電線（絶縁電線）の直径よりも短いため、集配電リング１１の径方向の大きさを小さくすることができる。
【００８９】
［第２の実施の形態］
次に、本発明の第２の実施の形態について、図１１乃至図１４を参照して以下説明する。
【００９０】
図１１は、本発明の第２の実施の形態に係る電動機１００の一構成例を示す斜視図である。なお、図１１において、回転軸線Ｏを一点鎖線で示す。
【００９１】
第２の実施の形態に係る電動機１００は、集配電リング１２の構成が第１の実施の形態に係る集配電リング１１の構成と異なり、それ以外の構成については第１の実施の形態に係る電動機１の構成と同様である。
【００９２】
図１１乃至図１４において、第１の実施の形態について説明したものと実質的に同一の機能を有する構成要素については、共通する符号を付してその重複した説明を省略する。
【００９３】
集配電リング１２は、回転軸線Ｏを中心とする同心円状に配置され、固定子２１の各巻線２１０（Ｕ相の巻線２１１、Ｖ相の巻線２１２、及びＷ相の巻線２１３）が接続される環状の第１〜第３のバスリング７１〜７３及び中性相バスリング７４と、第１〜第３のバスリング７１〜７３にそれぞれ接続されると共に、回転軸線Ｏに直交する方向において第１〜第３のバスリング７１〜７３及び中性相バスリング７４よりも内側に設けられた端子台２００にボルト２０ａで接続される第１〜第３の給電端子８１〜８３と、巻線２１０が接続される複数の第１〜第３の接続端子９１〜９３及び中性接続端子９４と、第１〜第３のバスリング７１〜７３及び中性相バスリング７４を保持する複数（本実施の形態では６つ）の保持部材３０とを備えている。
【００９４】
本実施の形態においても、第１の実施の形態と同様に、第１〜第３のバスリング７１〜７３及び中性相バスリング７４は、回転軸線Ｏ方向において端子台２００よりも固定子２１側に配置されている。
【００９５】
図１２は、本発明の第２の実施の形態に係る集配電リング１２の一構成例を示す斜視図である。図１３は、図１２のＣ−Ｃ線断面図である。図１４は、第２の実施の形態における第１〜第３のバスリング７１〜７３の接続部７１２，７２２，７３２の環状部７１１，７２１，７３１に対する位置関係を示す模式図である。なお、図１４において、回転軸線Ｏを一点鎖線で示す。
【００９６】
第１〜第３のバスリング７１〜７３は、第１の実施の形態に係る第１〜第３のバスリング３１〜３３と同様に、中心導体７１０ａ，７２０ａ，７３０ａ及び絶縁体７１０ｂ，７２０ｂ，７３０ｂを有する絶縁電線から形成され、環状部７１１，７２１，７３１及び接続部７１２，７２２，７３２を有している。
【００９７】
中性相バスリング７４は、第１の実施の形態に係る中性相バスリング３４と同様に、中心導体７４０ａ及び絶縁体７４０ｂする絶縁電線から形成され、給電端子８１〜８３との接続のための接続部を有することなく、環状部７４１のみを有して環状に形成されている。
【００９８】
図１３に示すように、第１〜第３のバスリング３１〜３３及び中性相バスリング３４は、第１の実施の形態と同様に、第１のバスリング７１と中性相バスリング７４とが回転軸線Ｏ方向に並んで配置されると共に、第２のバスリング７２と第３のバスリング７３とが回転軸線Ｏ方向に並んで配置されている。一方、第１の実施の形態と異なり、第１のバスリング７１及び中性相バスリング７４は、回転軸線Ｏに直交する方向において第２のバスリング７２及び第３のバスリング７３よりも外側に配置されている。
【００９９】
本実施の形態では、第１の実施の形態と同様に、中性相バスリング７４が、回転軸線Ｏ方向において第１のバスリング７１と固定子２１（図１１参照）との間に配置され、第３のバスリング７３が、回転軸線Ｏ方向において第２のバスリング７２と固定子２１との間に配置されている。
【０１００】
また、第１の実施の形態と同様に、回転軸線Ｏに直交する方向において、第１のバスリング７１と第２のバスリング７２との間の距離、及び第３のバスリング７３と中性相バスリング７４との間の距離は、それぞれ第１〜第３のバスリング７１〜７３及び中性相バスリング７４のそれぞれを構成する絶縁電線の直径よりも短く設定されている。
【０１０１】
第１〜第３の給電端子８１〜８３は、第１の実施の形態に係る第１〜第３の給電端子４１〜４３と同様に、貫通孔８１１ａ，８２１ａ，８３１ａが形成された接続片８１１，８２１，８３１及び加締め部８１２，８２２，８３２を一体に有している。本実施の形態では、接続片８１１，８２１，８３１は、第１〜第３のバスリング７１〜７３及び中性相バスリング７４の径方向内側に向かって張り出すように加締め部８１２，８２２，８３２の端部の一部分を屈曲させて形成されている。
【０１０２】
第１のバスリング７１に接続された第１の接続端子９１、及び第２のバスリング７２に接続された第２の接続端子９２は、第１の実施の形態に係る第１のバスリング３１に接続された第１の接続端子５１の構成、及び第２のバスリング３２に接続された第２の接続端子５２の構成と同様の構成を有している（図５及び図６参照）。
【０１０３】
一方、第３のバスリング７３に接続された第３の接続端子９３は、第１の実施の形態に係る中性相バスリング３４に接続された中性接続端子５４の構成と同様の構成を有し、中性相バスリング７４に接続された中性接続端子９４は、第１の実施の形態に係る第３のバスリング３３に接続された第３の接続端子５３の構成と同様の構成を有している。
【０１０４】
すなわち、回転軸線Ｏに直交する方向において、本実施の形態に係る第３のバスリング７３及び中性相バスリング７４の配置関係が、第１の実施の形態に係る第３のバスリング３３及び中性相バスリング３４の配置関係と逆であるため、第３の接続端子９３及び中性接続端子９４の構成も、第１の実施の形態に係る第３の接続端子５３及び中性接続端子５４の構成と逆になる（図７及び図８参照）。
【０１０５】
第１〜第３のバスリング７１〜７３の接続部７１２，７２２，７３２は、第１の実施の形態に係る第１〜第３のバスリング３１〜３３の接続部３１２，３２２，３３２と同様に、基端部７１２ａ，７２２ａ，７３２ａと、基端部７１２ａ，７２２ａ，７３２ａから回転軸線Ｏ方向における固定子２１とは反対側に向かって延びる延出部７１２ｂ，７２２ｂ，７３ｂとを一体に有している。
【０１０６】
本実施の形態では、第１のバスリング７１及び第２のバスリング７２は、第１の実施の形態と同様に、基端部７１２ａ，７２２ａが、環状部７１１，７２１の両端部からそれぞれ回転軸線Ｏ方向に平行な方向における固定子２１とは反対側に向かって円弧を描きながら延びるように形成されている。
【０１０７】
そして、延出部７１２ｂ，７２２ｂが、基端部７１２ａ，７２２ａの端部から回転軸線Ｏ方向に平行な方向における固定子２１とは反対側に向かってさらに延びて形成されている。すなわち、接続部７１２，７２２の基端部７１２ａ，７２２ａ及び延出部７１２ｂ，７２２ｂは共に、回転軸線Ｏ方向に平行な方向に延出している。
【０１０８】
一方、第３のバスリング７３は、基端部７３２ａが、環状部７３１の両端部から第３のバスリング７３の径方向内側に向かうと共に、回転軸線Ｏ方向の固定子２１とは反対側に向かって延びて形成されている。そして、延出部７３２ｂが、基端部７３２ａの端部から回転軸線Ｏ方向に平行な方向における固定子２１とは反対側に向かってさらに延びて形成されている。したがって、第３のバスリング７３は、回転軸線Ｏ方向から見た場合に、接続部７３２が環状部７３１よりも径方向内側に位置している。
【０１０９】
（第２の実施の形態の作用及び効果）
以上説明した第２の実施の形態によれば、以下のような作用及び効果が得られる。
【０１１０】
（１）第１〜第３のバスリング７１〜７３及び中性相バスリング７４は、第１のバスリング７１と中性相バスリング７４とが回転軸線Ｏ方向に並んで配置されると共に、第２のバスリング７２と第３のバスリング７３とが回転軸線Ｏ方向に並んで配置され、第１のバスリング７１及び中性相バスリング７４は、回転軸線Ｏに直交する方向において第２のバスリング７２及び第３のバスリング７３よりも外側に配置されているため、回転軸線Ｏに直交する方向において第１〜第３のバスリング７１〜７３及び中性相バスリング７４よりも内側に設けられる端子台２００に接続される第１〜第３の給電端子８１〜８３までの配線の取り回し、すなわち接続部７１２，７２２，７３２の形状を簡易にすることができる。
【０１１１】
（２）第１〜第３のバスリング７１〜７３及び中性相バスリング７４は、回転軸線Ｏ方向において端子台２００よりも固定子２１側に配置され、第１〜第３のバスリング７１〜７３の接続部７１２，７２２，７３２は、端子台２００に向かって回転軸線Ｏ方向に延びる延出部７１２ｂ，７２２ｂ，７３２ｂを有しているため、延出部７１２ｂ，７２２ｂ，７３２ｂの先端に接続された第１〜第３の給電端子８１〜８３と端子台２００との接続距離を短くすることができる。
【０１１２】
（３）回転軸線Ｏに直交する方向において、第１のバスリング７１と第２のバスリング７２との間の距離、及び第３のバスリング７３と中性相バスリング７４との間の距離は、それぞれ第１〜第３のバスリング７１〜７３及び中性相バスリング７４のそれぞれを構成する電線（絶縁電線）の直径よりも短いため、集配電リング１２の径方向の大きさを小さくすることができる。
【０１１３】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【０１１４】
［１］三相交流電動機（１）の回転子（２２）の回転軸線Ｏ方向に固定子（２１）と並列して配置される集配電リング（１１）であって、回転軸線Ｏを中心とする同心円状に配置され、固定子（２１）の各相の巻線（２１１，２１２，２１３）が接続される第１乃至第３のバスリング（３１〜３３）及び中性相バスリング（３４）と、第１乃至第３のバスリング（３１〜３３）のそれぞれに接続されると共に、回転軸線Ｏに直交する方向において第１乃至第３のバスリング（３１〜３３）及び中性相バスリング（３４）よりも外側に設けられる端子台（２０）に接続される給電端子（４１〜４３）とを備え、第１乃至第３のバスリング（３１〜３３）は、回転軸線Ｏを中心とする環状に形成された環状部（３１１，３２１，３３１）、及び環状部（３１１，３２１，３３１）と給電端子（４１〜４３）とを接続する接続部（３１２，３２２，３３２）を有し、中性相バスリング（３４）は、給電端子（４１〜４３）との接続のための接続部を有することなく環状に形成され、第１乃至第３のバスリング（３１〜３４）及び中性相バスリング（３４）は、第１のバスリング（３１）と中性相バスリング（３４）とが回転軸線Ｏ方向に並んで配置されると共に、第２のバスリング（３２）と第３のバスリング（３３）とが回転軸線Ｏ方向に並んで配置され、第１のバスリング（３１）及び中性相バスリング（３４）は、第２のバスリング（３２）及び第３のバスリング（３３）よりも回転軸線Ｏ側に配置された集配電リング（１１）。
【０１１５】
［２］第１乃至第３のバスリング（３１〜３３）及び中性相バスリング（３４）は、回転軸線Ｏ方向において端子台（２０）よりも固定子（２１）側に配置され、第１乃至第３のバスリング（３１〜３３）の接続部（３１２，３２２，３３２）は、端子台（２０）に向かって回転軸線Ｏ方向に延びる延出部（３１２ｂ，３２２ｂ，３３２ｂ）を有し、中性相バスリング（３４）は、回転軸線Ｏ方向において第１のバスリング（３１）と固定子（２１）との間に配置された、［１］に記載の集配電リング（１１）。
【０１１６】
［３］第１乃至第３のバスリング（３１〜３３）及び中性相バスリング（３４）は、回転軸線Ｏ方向から見た場合に、第１のバスリング（３１）及び中性相バスリング（３４）の少なくとも一部が重なると共に、第２のバスリング（３２）及び第３のバスリング（３３）の少なくとも一部が重なるように配置され、回転軸線Ｏに直交する方向から見た場合に、第１のバスリング（３１）及び第２のバスリング（３２）の少なくとも一部が重なると共に、第３のバスリング（３３）及び中性相バスリング（３４）の少なくとも一部が重なるように配置された、［１］又は［２］に記載の集配電リング（１１）。
【０１１７】
［４］三相交流電動機（１００）の回転子（２２）の回転軸線Ｏ方向に固定子（２１）と並列して配置される集配電リング（１２）であって、回転軸線Ｏを中心とする同心円状に配置され、固定子（２１）の各相の巻線（２１１，２１２，２１３）が接続される第１乃至第３のバスリング（７１〜７３）及び中性相バスリング（７４）と、第１乃至第３のバスリング（７１〜７３）のそれぞれに接続されると共に、回転軸線Ｏに直交する方向において第１乃至第３のバスリング（７１〜７３）及び中性相バスリング（７４）よりも内側に設けられる端子台（２００）に接続される給電端子（８１〜８３）とを備え、第１乃至第３のバスリング（７１〜７３）は、回転軸線Ｏを中心とする環状に形成された環状部（７１１，７２１，７３１）、及び環状部（７１１，７２１，７３１）と給電端子（８１〜８３）とを接続する接続部（７１２，７２２，７３２）を有し、中性相バスリング（７４）は、給電端子（８１〜８３）との接続のための接続部を有することなく環状に形成され、第１のバスリング（７１）と中性相バスリング（７４）とが回転軸線Ｏ方向に並んで配置されると共に、第２のバスリング（７２）と第３のバスリング（７３）とが回転軸線Ｏ方向に並んで配置され、第１のバスリング（７１）及び中性相バスリング（７４）は、回転軸線Ｏに直交する方向において第２のバスリング（７２）及び第３のバスリング（７３）よりも外側に配置された集配電リング（１２）。
【０１１８】
［５］固定子（２１）と、固定子（２１）に対して回転する回転子（２２）と、回転子（２２）の回転軸線Ｏ方向に固定子（２１）と並列して配置された集配電リング（１１）とを備え、集配電リング（１１）は、回転軸線Ｏを中心とする同心円状に配置され、固定子（２１）の各相の巻線（２１１，２１２，２１３）が接続される第１乃至第３のバスリング（３１〜３３）及び中性相バスリング（３４）と、第１乃至第３のバスリング（３１〜３３）のそれぞれに接続されると共に、回転軸線Ｏに直交する方向において第１乃至第３のバスリング（３１〜３３）及び中性相バスリング（３４）よりも外側に設けられる端子台（２０）に接続される給電端子（４１〜４３）とを備え、第１乃至第３のバスリング（３１〜３３）は、回転軸線Ｏを中心とする環状に形成された環状部（３１１，３２１，３３１）、及び環状部（３１１，３２１，３３１）と給電端子（４１〜４３）とを接続する接続部（３１２，３２２，３３２）を有し、中性相バスリング（３４）は、給電端子（４１〜４３）との接続のための接続部を有することなく環状に形成され、第１乃至第３のバスリング（３１〜３４）及び中性相バスリング（３４）は、第１のバスリング（３１）と中性相バスリング（３４）とが回転軸線Ｏ方向に並んで配置されると共に、第２のバスリング（３２）と第３のバスリング（３３）とが回転軸線Ｏ方向に並んで配置され、第１のバスリング（３１）及び中性相バスリング（３４）は、第２のバスリング（３２）及び第３のバスリング（３３）よりも回転軸線Ｏ側に配置された電動機（１）。
【０１１９】
［６］固定子（２１）と、固定子（２１）に対して回転する回転子（２２）と、回転子（２２）の回転軸線Ｏ方向に固定子（２１）と並列して配置された集配電リング（１２）とを備え、集配電リング（１２）は、回転軸線Ｏを中心とする同心円状に配置され、固定子（２１）の各相の巻線（２１１，２１２，２１３）が接続される第１乃至第３のバスリング（７１〜７３）及び中性相バスリング（７４）と、第１乃至第３のバスリング（７１〜７３）のそれぞれに接続されると共に、回転軸線Ｏに直交する方向において第１乃至第３のバスリング（７１〜７３）及び中性相バスリング（７４）よりも内側に設けられる端子台（２００）に接続される給電端子（８１〜８３）とを備え、第１乃至第３のバスリング（７１〜７３）は、回転軸線Ｏを中心とする環状に形成された環状部（７１１，７２１，７３１）、及び環状部（７１１，７２１，７３１）と給電端子（８１〜８３）とを接続する接続部（７１２，７２２，７３２）を有し、中性相バスリング（７４）は、給電端子（８１〜８３）との接続のための接続部を有することなく環状に形成され、第１のバスリング（７１）と中性相バスリング（７４）とが回転軸線Ｏ方向に並んで配置されると共に、第２のバスリング（７２）と第３のバスリング（７３）とが回転軸線Ｏ方向に並んで配置され、第１のバスリング（７１）及び中性相バスリング（７４）は、回転軸線Ｏに直交する方向において第２のバスリング（７２）及び第３のバスリング（７３）よりも外側に配置された電動機（１００）。
【０１２０】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【０１２１】
本発明は、その趣旨を逸脱しない範囲で適宜変形して実施することが可能である。例えば、上記実施の形態では、回転軸線Ｏに直交する方向において、巻線２１０が集配電リング１１，１２よりも外側に位置するように引き出されていたが、これに限らず、例えば回転軸線Ｏに直交する方向において、集配電リング１１，１２よりも内側に位置するように引き出されていてもよい。
【０１２２】
また、上記実施の形態では、第１〜第３のバスリング３１〜３３，７１〜７３及び中性相バスリング３４，７４は、複数の保持部材３０で保持されていたが、これに限らず、例えばモールド樹脂等で覆うことによって保持されていてもよい。
【０１２３】
また、上記第１の実施の形態では、第１〜第３のバスリング３１〜３３の接続部３１２，３２２，３３２における延出部３１２ｂ，３２２ｂ，３３２ｂが、回転軸線Ｏ方向における固定子２１とは反対側に設けられた端子台２０に向かって延びていたが、これに限らず、例えば回転軸線Ｏ方向における固定子２１側に設けられた端子台に向かって延びていてもよい。上記第２の実施の形態についても同様である。
【０１２４】
また、上記第１の実施の形態では、第１〜第３の給電端子４１〜４３の接続片４１１，４２１，４３１が第１〜第３のバスリング３１〜３３及び中性相バスリング３４の径方向外側に向かって張り出すように屈曲されていたが、これに限らず、例えば屈曲せずに回転軸線Ｏに平行な方向に延在していてもよい。上記第２の実施の形態についても同様である。
【０１２５】
また、上記第１の実施の形態では、第１〜第３の接続端子５１〜５３及び中性接続端子５４は、第１〜第３のバスリング３１〜３３及び中性相バスリング３４とは別部材にて形成されていたが、これに限らず、例えば第１〜第３のバスリング３１〜３３及び中性相バスリング３４を屈曲して接続端子に対応した部分を形成してもよい。上記第２の実施の形態についても同様である。
【０１２６】
また、上記実施の形態では、第３のバスリング３３，７３が回転軸線Ｏ方向における固定子２１側に配置されていたが、これに限らず、例えば第１のバスリング３１，７１又は第２のバスリング３２，７２が回転軸線Ｏ方向における固定子２１側に配置されていてもよい。すなわち、中性相バスリング３４，７４以外の第１〜第３のバスリング３１〜３３，７１〜７３における互いの位置関係は、上記実施の形態に記載された位置関係に限定されない。
【０１２７】
また、上記第１の実施の形態では、第１〜第３のバスリング３１〜３３及び中性相バスリング３４に絶縁電線を用いたが、これに限らず、例えば裸線や平板の打ち抜き等により形成されたバスバーを用いることも可能である。上記第２の実施の形態についても同様である。
【０１２８】
また、上記第１の実施の形態では、第１〜第３のバスリング３１〜３３及び中性相バスリング３４は、円形状に形成されていたが、これに限らず、例えば楕円形状や多角形状に形成されていてもよい。上記第２の実施の形態についても同様である。
【０１２９】
また、上記第1の実施の形態では、第１〜第３のバスリング３１〜３３及び中性相バスリング３４として、１つの導電性部材（絶縁電線）を環状に折り曲げて形成したものを用いたが、これに限らず、例えば分割した複数の導電性部材を接続して環状に形成したものを用いてもよい。上記第２の実施の形態についても同様である。
【符号の説明】
【０１３０】
１，１００…電動機
１０，１１，１２…集配電リング
２０，２００…端子台
２１…固定子
２２…回転子
３１〜３３，６１〜６３，７１〜７３…第１〜第３のバスリング
３４，６４，７４…中性相バスリング
４１〜４３，８１〜８３…第１〜第３の給電端子
２１０…巻線
２１１…Ｕ相の巻線
２１２…Ｖ相の巻線
２１３…Ｗ相の巻線
３１１，３２１，３３１，３４１，６１１，６２１，６３１，７１１，７２１，７３１，７４１…環状部
３１２，３２２，３３２，６１２，６２２，６３２，７１２，７２２，７３２…接続部
３１２ｂ，３２２ｂ，３３２ｂ，６１２ｂ，６２２ｂ，６３２ｂ，７１２ｂ，７２２ｂ，７３２ｂ…延出部
Ｏ…回転軸線
【図１】
2015083229.tif 000003
【図２】
2015083229.tif 000004
【図３】
2015083229.tif 000005
【図４Ａ】
2015083229.tif 000006
【図４Ｂ】
2015083229.tif 000007
【図５】
2015083229.tif 000008
【図６】
2015083229.tif 000009
【図７】
2015083229.tif 000010
【図８】
2015083229.tif 000011
【図９】
2015083229.tif 000012
【図１０】
2015083229.tif 000013
【図１１】
2015083229.tif 000014
【図１２】
2015083229.tif 000015
【図１３】
2015083229.tif 000016
【図１４】
2015083229.tif 000017
【国際調査報告】
2015083229.tif 000018
2015083229.tif 000019
2015083229.tif 000020
2015083229.tif 000021